(57)【要約】      （修正有）【課題】投写レンズを備えたプロジェクターにおいて、投写レンズの位置に対応した画質に関する調整を、容易に行えるようにする。【解決手段】プロジェクターは、光源部２１と、光変調装置２２と、投写レンズを有する投写光学系２３とを備える。また、投写レンズの位置を調整するレンズ調整部３０と、投写レンズの位置及び画像光の形成に係る設定の入力を受け付ける入力部１２と、入力された投写レンズの位置と画像光の形成に係る設定とを記憶する記憶部１１と、制御部１０とを備える。制御部１０は、記憶部１１に記憶された投写レンズの位置を選択する入力を入力部１２で受け付けて、受け付けた入力に従って選択される投写レンズの位置に応じて、レンズ調整部３０に投写レンズの位置の調整を行わせる。制御部１０は、選択される投写レンズの位置に対応する画像光の形成に係る設定に従って光変調装置２２を制御する。【選択図】図１
2016143015.tif 000002
【特許請求の範囲】
【請求項１】
光源と、
前記光源から射出した光を画像信号に基づき画像光に変調する変調部と、
前記画像光を投写する投写レンズと、
前記投写レンズの位置を調整する調整部と、
前記投写レンズの位置、及び、前記変調部による前記画像光の形成に係る設定の入力を受け付ける入力部と、
前記入力部により入力された前記投写レンズの位置と前記画像光の形成に係る設定とを記憶する記憶部と、
前記記憶部に記憶された前記投写レンズの位置を選択する入力を受け付ける選択受付部と、
前記選択受付部により受け付けた入力に従って選択される前記投写レンズの位置に応じて、前記調整部に前記投写レンズの位置の調整を行わせ、選択される前記投写レンズの位置に対応する前記画像光の形成に係る設定に従って前記変調部を制御する調整制御部と、
を備えることを特徴とするプロジェクター。
【請求項２】
前記記憶部は、前記投写レンズの位置と、前記投写レンズの位置に対応づけて前記入力部により入力される前記画像光の形成に係る設定とを記憶すること、
を特徴とする請求項１記載のプロジェクター。
【請求項３】
前記記憶部は、前記投写レンズの位置と、前記画像光の形成に係る設定とを対応付けて記憶すること、
を特徴とする請求項１または２記載のプロジェクター。
【請求項４】
前記入力部は、前記変調部による前記画像光の形成に係る複数の設定項目について、入力可能に構成され、
前記入力部により入力する前記設定項目を選択可能であること、
を特徴とする請求項１から３のいずれかに記載のプロジェクター。
【請求項５】
前記変調部は前記画像信号に基づき画像を形成し、形成した画像により前記光源から射出した光を変調する構成を有し、
前記変調部による前記画像光の形成に係る設定は、前記変調部が形成する画像のアスペクト比、前記画像の形成位置を調整するアライメント調整値、前記変調部が形成する画像の色むら調整値、前記変調部が形成する画像の画質設定値のいずれかを含むこと、
を特徴とする請求項１から４のいずれかに記載のプロジェクター。
【請求項６】
前記調整部は、前記投写レンズによるズームの調整及び前記投写レンズのシフトの調整の少なくともいずれかを行うこと、
を特徴とする請求項１から５のいずれかに記載のプロジェクター。
【請求項７】
光源が射出する光を画像信号に基づき画像光に変調して、前記画像光を投写するプロジェクターの制御方法において、
投写レンズの位置、及び、前記画像光の形成に係る設定の入力を受け付け、
入力された前記投写レンズの位置と前記画像光の形成に係る設定とを記憶し、
記憶した前記投写レンズの位置を選択する入力を受け付け、
受け付けた入力に従って選択される前記投写レンズの位置に応じて、前記投写レンズの位置の調整を行い、選択される前記投写レンズの位置に対応する前記画像光の形成に係る設定に従って前記画像光の形成を制御すること、
を特徴とするプロジェクターの制御方法。
【発明の詳細な説明】
【技術分野】
【０００１】
本発明は、プロジェクター、及びプロジェクターの制御方法に関する。
【背景技術】
【０００２】
一般に、投写レンズを備えたプロジェクターにおいては、投写レンズの位置を調整することで、ズームやフォーカスを調整可能である。また、投写レンズとしてアナモフィックレンズを備え、アスペクト比を調整できるプロジェクターも知られている（例えば、特許文献１参照）。特許文献１記載のプロジェクターは、画像信号のアスペクト比に合わせて、投写レンズの位置を調整する。
【先行技術文献】
【特許文献】
【０００３】
【特許文献１】特開２０１２−１９４２２６号公報
【発明の概要】
【発明が解決しようとする課題】
【０００４】
ところで、投写レンズの位置を変更すると、レンズの色収差等の影響により、画素ずれや色むらの状態が変化することがある。このため、投写レンズの位置を変更した後で、画素ずれや色ムラ等の画質に関する調整を行う必要があった。
本発明は、上述した事情に鑑みてなされたものであり、投写レンズを備えたプロジェクターにおいて、投写レンズの位置に対応した画質に関する調整を、容易に行えるようにすることを目的とする。
【課題を解決するための手段】
【０００５】
上記目的を達成するために、本発明のプロジェクターは、光源と、前記光源から射出した光を画像信号に基づき画像光に変調する変調部と、前記画像光を投写する投写レンズと、前記投写レンズの位置を調整する調整部と、前記投写レンズの位置、及び、前記変調部による前記画像光の形成に係る設定の入力を受け付ける入力部と、前記入力部により入力された前記投写レンズの位置と前記画像光の形成に係る設定とを記憶する記憶部と、前記記憶部に記憶された前記投写レンズの位置を選択する入力を受け付ける選択受付部と、前記選択受付部により受け付けた入力に従って選択される前記投写レンズの位置に応じて、前記調整部に前記投写レンズの位置の調整を行わせ、選択される前記投写レンズの位置に対応する前記画像光の形成に係る設定に従って前記変調部を制御する調整制御部と、を備えることを特徴とする。
本発明によれば、投写レンズの位置を調整する際に、投写レンズの位置に対応して画像光を調整できる。このため、例えば画質やアスペクト比等を投写レンズの位置に適合させることができるので、投写レンズの位置に対応した画質に関する調整を、容易に行うことができる。
【０００６】
また、本発明は、上記プロジェクターであって、前記記憶部は、前記投写レンズの位置と、前記投写レンズの位置に対応づけて前記入力部により入力される前記画像光の形成に係る設定とを記憶すること、を特徴とする。
本発明によれば、画像光の形成に係る設定について、投写レンズの位置に対応する設定内容を容易に入力して設定できる。
【０００７】
また、本発明は、上記プロジェクターであって、前記記憶部は、前記投写レンズの位置と、前記画像光の形成に係る設定とを対応付けて記憶すること、を特徴とする。
本発明によれば、画像光の形成に係る設定について、投写レンズの位置に合わせた設定を容易に実現できる。これにより、投写レンズの位置に対応した画質に関する調整を、容易に行うことができる。
【０００８】
また、本発明は、上記プロジェクターであって、前記入力部は、前記変調部による前記画像光の形成に係る複数の設定項目について、入力可能に構成され、前記入力部により入力する前記設定項目を選択可能であること、を特徴とする。
本発明によれば、画像光の形成に関して任意の項目を設定できる。
【０００９】
また、本発明は、上記プロジェクターであって、前記変調部は前記画像信号に基づき画像を形成し、形成した画像により前記光源から射出した光を変調する構成を有し、前記変調部による前記画像光の形成に係る設定は、前記変調部が形成する画像のアスペクト比、前記画像の形成位置を調整するアライメント調整値、前記変調部が形成する画像の色むら調整値、前記変調部が形成する画像の画質設定値のいずれかを含むこと、を特徴とする。
本発明によれば、投写レンズの位置に対応して、画像のアスペクト比、アライメント調整値、色むら調整値、画質設定値等を、適切に調整できる。
【００１０】
また、上記プロジェクターにおいて、前記調整部は、前記投写レンズによるズームの調整及び前記投写レンズのシフトの調整の少なくともいずれかを行ってもよい。
【００１１】
また、上記目的を達成するために、本発明は、光源が射出する光を画像信号に基づき画像光に変調して、前記画像光を投写するプロジェクターの制御方法において、投写レンズの位置、及び、前記画像光の形成に係る設定の入力を受け付け、入力された前記投写レンズの位置と前記画像光の形成に係る設定とを記憶し、記憶した前記投写レンズの位置を選択する入力を受け付け、受け付けた入力に従って選択される前記投写レンズの位置に応じて、前記投写レンズの位置の調整を行い、選択される前記投写レンズの位置に対応する前記画像光の形成に係る設定に従って前記画像光の形成を制御すること、を特徴とする。
本発明によれば、投写レンズの位置を調整する際に、投写レンズの位置に対応して画像光を調整できる。このため、例えば画質やアスペクト比等を投写レンズの位置に適合させることができるので、投写レンズの位置に対応した画質に関する調整を、容易に行うことができる。
【図面の簡単な説明】
【００１２】
【図１】実施形態に係るプロジェクターの機能ブロック図。
【図２】プロジェクターの動作の説明図。
【図３】レンズ位置と画像調整に関する設定値テーブルの構成例を示す図。
【図４】プロジェクターの動作を示すフローチャート。
【図５】プロジェクターの動作を示すフローチャート。
【図６】プロジェクターの動作を示すフローチャート。
【発明を実施するための形態】
【００１３】
以下、図面を参照して本発明を適用した実施形態について説明する。
図１は、実施形態に係るプロジェクター１の機能的構成を示すブロック図である。投写面としてのスクリーンＳＣに画像を投写するプロジェクター１は、パーソナルコンピューターや各種画像プレーヤー等の外部の画像供給装置（図示略）から入力される画像データＤ１に基づいて、画像をスクリーンＳＣに投写する。
【００１４】
プロジェクター１に入力される画像データＤ１は、動画像（映像）のデータであっても静止画像のデータであってもよく、プロジェクター１は映像をスクリーンＳＣに投写することも、静止画像をスクリーンＳＣに投写し続けることも可能である。また、本実施形態では、プロジェクター１にデジタル画像データである画像データＤ１が入力される構成について説明する。プロジェクター１は、外部から入力されるアナログ画像信号をＡ／Ｄ変換し、このアナログ画像信号に基づく画像を投写する構成としてもよい。
【００１５】
プロジェクター１は、光学的な画像の形成を行う投写部２０と、投写部２０に入力される画像信号を電気的に処理する画像処理系とを備え、これらの各部は制御部１０の制御に従って動作する。
投写部２０は、光源部２１（光源）、光変調装置２２（変調部）、及び投写光学系２３を有する。光源部２１は、キセノンランプ、超高圧水銀ランプ、ＬＥＤ（Light Emitting Diode）、レーザー光源等の光源を備えている。また、光源部２１は、上記光源の光を光変調装置２２に導くリフレクター及び補助リフレクターや、上記光源の光を光変調装置２２に至る経路上で減光させる調光素子（図示略）等を備えてもよい。光源部２１には、光源駆動部１８が接続されている。光源駆動部１８は、後述する制御部１０の制御に従って、光源部２１への電力供給を制御し、光源部２１の光源を点灯および消灯させる。
【００１６】
光変調装置２２は、後述する画像処理系からの信号を受けて、光源部２１が発した光を変調して画像光とする。光変調装置２２の具体的な構成としては、例えば、ＲＧＢの各色に対応した３枚の透過型または反射型の液晶パネル（図示略）を用いた方式が挙げられる。この場合、光変調装置２２には、光源部２１が発した光がダイクロイックミラー等によりＲ、Ｇ、Ｂの各色光に分離されて入射する。各色光は、光変調装置２２が備える各色の液晶パネルによって変調され、その後、クロスダイクロイックプリズムにより各色光が合成されて、投写光学系２３に導かれる。また、液晶パネルに代えて、デジタルミラーデバイス（ＤＭＤ）を用いた構成とすることもできる。この場合、Ｒ、Ｇ、Ｂの各色光がＤＭＤにより変調されて投写光学系２３に導かれる。また、１枚の液晶パネルまたはＤＭＤと、カラーホイールとを備え、Ｒ、Ｇ、Ｂの各色光を変調して画像光を出力する構成としてもよい。
【００１７】
光変調装置２２が備える液晶パネルまたはＤＭＤを総称して画像形成部と呼ぶ。画像形成部は、後述する光変調装置駆動部１９によって駆動され、マトリクス状に配置される画素毎の光の透過率または反射率を変化させ、画像を形成する。
【００１８】
投写光学系２３は、光変調装置２２により変調された画像光をスクリーンＳＣに投写する投写レンズを備えている。投写光学系２３が備える投写レンズは、具体的には複数のレンズからなるレンズ群により構成され、フォーカスレンズ２４及びズームレンズ２５を備える。また、投写光学系２３の投写レンズは、光変調装置２２により変調された画像光のアスペクト比を変換するアナモフィックレンズ２６を含む。すなわち、フォーカスレンズ２４、ズームレンズ２５、及びアナモフィックレンズ２６を、投写レンズと総称する。
【００１９】
投写光学系２３にはレンズ調整部３０が設けられる。レンズ調整部３０は、レンズシフト調整機構３１、フォーカス調整機構３２、及びズーム調整機構３３を備える。レンズシフト調整機構３１、フォーカス調整機構３２、及びズーム調整機構３３は、投写光学系２３が備えるレンズを移動させるレンズ駆動部（図示略）や、レンズの位置を検出する検出部（図示略）を有する。レンズ駆動部は、例えば、モーターやアクチュエーター等の動力源及びリンク機構等を含み、検出部は光学的、磁気的、或いは機械的にレンズの位置を検出する。
【００２０】
レンズシフト調整機構３１は、フォーカスレンズ２４及びズームレンズ２５を光軸に対して垂直にシフトさせることにより、スクリーンＳＣに投写する投射画像の位置ずれの補正等を行う。また、レンズシフト調整機構３１は、アナモフィックレンズ２６の位置を、スクリーンＳＣに投写する投写光の光軸に重なる位置と、光軸から外れた位置とに変更する。すなわち、スクリーンＳＣへの投写光のアスペクト比をアナモフィックレンズ２６で変換する状態と、変換しない状態との切替を行う。
【００２１】
フォーカス調整機構３２は、フォーカスレンズ２４を駆動してフォーカス調整を行い、ズーム調整機構３３は、ズームレンズ２５を駆動して、制御部１０が設定するズーム倍率を実現する。これにより、スクリーンＳＣ上の投写画像のフォーカス調整および投写画像の拡大・縮小を調整するズーム調整が可能である。
【００２２】
また、投写光学系２３は、アナモフィック光学部品を備えている。アナモフィックレンズ２６は、レンズシフト調整機構３１によりシフト可能に配設される。アナモフィックレンズ２６は、レンズシフト調整機構３１の機構により案内されて、投写光学系２３の光路、すなわち投写レンズの光軸上に進入および退出するように動作する。
【００２３】
プロジェクター１の画像処理系は、プロジェクター１全体を統合的に制御する制御部１０を中心に構成され、記憶部１１、入力部１２、画像入力部１５、画像処理部１６、フレームメモリー１７、光源駆動部１８、光変調装置駆動部１９を備える。また、制御部１０にはレンズシフト制御部３４、フォーカス制御部３５、及びズーム制御部３６が接続され、これらを画像処理系に含めてもよい。
【００２４】
記憶部１１は、制御部１０が処理するデータや制御部１０が実行する制御プログラムを記憶する。制御部１０（調整制御部、選択受付部）は、記憶部１１に記憶された制御プログラムを読み出して実行することにより、プロジェクター１の各部を制御する。制御部１０は、入力部１２から入力される操作情報に基づいて、ユーザーが行った操作の内容を検出する。制御部１０は、検出した操作に応じて画像処理部１６、光源駆動部１８、光変調装置駆動部１９、レンズシフト制御部３４、フォーカス制御部３５、及びズーム制御部３６を制御して、スクリーンＳＣに画像を投写させる。
【００２５】
プロジェクター１は、ユーザーの入力操作を受け付ける入力部１２（入力部）を備える。入力部１２は、リモコン５０の操作を検出する信号受信部１３、及び、操作パネル５５の操作を検出する操作部１４を備える。
リモコン５０は、複数の入力キー５１を備え、操作された入力キー５１に対応する操作信号を、例えば赤外線無線信号としてプロジェクター１へ無線送信する。信号受信部１３は、プロジェクター１を操作するリモコン５０が送信する無線信号を受信してデコードし、リモコン５０で操作された入力キー５１を特定する。信号受信部１３は、検出した入力キー５１を示す操作情報を生成して、制御部１０に出力する。
また、操作パネル５５は、例えばプロジェクター１の本体に設けられ、複数の入力キー５６を備える。操作部１４は、操作パネル５５で操作された入力キー５６を示す操作情報を生成して、制御部１０に出力する。また、操作部１４は、制御部１０の制御に従い、プロジェクター１の動作状態や設定状態に応じて操作パネル５５のインジケーターランプの点灯状態を制御する。
【００２６】
画像入力部１５は、外部から入力される画像データＤ１のスケーリング処理を実行し、処理後の画像データＤ２を画像処理部１６に出力する。ここで、画像入力部１５は、例えば、デジタル映像信号が入力されるＤＶＩ（Digital Visual Interface）インターフェイス、ＵＳＢインターフェイス及びＬＡＮインターフェイスや、ＨＤＭＩ（登録商標）規格に準拠したＨＤＭＩコネクター等、ＶＥＳＡ（Video Electronics Standards Association）が策定したＤｉｓｐｌａｙＰｏｒｔ（商標）規格に準拠したコネクター等を有するインターフェイスを備えている。
【００２７】
画像処理部１６は、制御部１０の制御に従って、画像入力部１５が出力する画像データＤ２を取得する。画像処理部１６は、処理対象の画像データＤ２に対し、画像サイズや解像度、静止画像か動画像であるか、動画像である場合はフレームレート等の属性などを判定する。画像処理部１６は、フレーム毎にフレームメモリー１７に画像を展開し、フレームメモリー１７を利用して、画像データＤ２に対する画像処理を実行する。
【００２８】
画像処理部１６は、色むら補正部１６ａ、アライメント調整部１６ｂ、画質調整部１６ｃ、及びアスペクト比調整部１６ｄを備える。色むら補正部１６ａは、画像データＤ２に対してフレーム内の色むらを補正する。アライメント調整部１６ｂは、画像データＤ２を光変調装置駆動部１９が光変調装置２２の画像形成部に形成する画像の位置を調整する。例えば、光変調装置２２が画像形成部として３つの液晶パネルを有する構成では、それぞれの液晶パネルから、色光を合成するプリズムに至る光路に微細なずれがあると、合成された画像に色ずれが発生する。アライメント調整部１６ｂは、光変調装置２２の各々の液晶パネルに画像が形成される位置を、光路のずれに対応してシフトさせることで、色ずれの発生を抑制する処理を行う。また、光路のずれの大きさが、液晶パネルの１画素相当より小さい場合に、１画素未満のずれを補償する画像処理を実行する。光変調装置２２がＤＭＤを備える場合も同様である。
【００２９】
画質調整部１６ｃは、画像データＤ２に対し、色の補正やシャープネスの補正等を行う。
アスペクト比調整部１６ｄは、画像データＤ２のアスペクト比を判定し、制御部１０の制御に従って、アスペクト比を変更する処理を行う。画像処理部１６が備える色むら補正部１６ａ、アライメント調整部１６ｂ、画質調整部１６ｃ、及びアスペクト比調整部１６ｄの処理の順序について制限はない。予め決められた順序で処理を行ってもよいし、制御部１０が処理の実行順序を制御してもよい。
【００３０】
また、画像処理部１６は、取得した画像データＤ２の解像度が光変調装置２２の画像形成部の解像度と異なる場合には解像度変換処理を行う。リモコン５０や操作パネル５５の操作によりズームが指示された場合、制御部１０の制御に従い、画像処理部１６が拡大／縮小処理を行ってもよい。
画像処理部１６が実行する画像処理の種類、画像処理を行うタイミング、画像処理の実行順序、画像処理で使用するパラメーター等は、制御部１０が制御する。
画像処理部１６は、フレームメモリー１７に展開した処理後のフレームを表示する画像信号を生成し、光変調装置駆動部１９に出力する。また、画像処理部１６は、光変調装置２２に画像を形成する際のフレームレートが、画像データＤ２のフレームレートと異なる場合に、フレームレートの変換処理を行ってもよい。
【００３１】
光変調装置駆動部１９は、画像処理部１６が出力する画像信号に従って、光変調装置２２が備える画像形成部を駆動して、画像を描画する。光変調装置駆動部１９は、例えば、液晶パネルを駆動するドライバー回路である。
【００３２】
制御部１０は、記憶部１１に記憶された制御プログラムを実行することにより、投写制御部１０ａ、調整制御部１０ｂ、及び設定制御部１０ｃの機能を実現する。
投写制御部１０ａは、入力部１２によって検出された操作に従って、プロジェクター１の各部を初期化するとともに、画像入力部１５、画像処理部１６、光源駆動部１８、及び光変調装置駆動部１９を制御して画像を投写させる。
【００３３】
調整制御部１０ｂは、投写制御部１０ａにより画像を投写する際に、記憶部１１に記憶された設定値に従って、レンズシフト制御部３４、フォーカス制御部３５、及びズーム制御部３６を制御し、投写光学系２３の各レンズの位置を調整する。
本発明の調整部はレンズ調整部３０に相当するが、レンズシフト制御部３４、フォーカス制御部３５、及びズーム制御部３６がレンズ調整部３０とともに調整部を構成してもよい。また、調整制御部１０ｂは、記憶部１１に記憶された設定値に従って、画像処理部１６が行う色むら補正、アライメント調整、画質調整、及びアスペクト比調整の各処理を制御する。
設定制御部１０ｃは、調整制御部１０ｂが行うレンズ位置の調整と画像処理部１６が行う処理に関する調整とについて、ユーザーの入力に基づく設定を行う。
【００３４】
図２は、プロジェクター１の動作の説明図であり、画像データＤ１のアスペクト比に対する調整の様子を示す。ここでは、アスペクト比が、いわゆるシネスコ（横：縦＝２．４：１または２．３５：１）のスクリーンＳＣに画像を投写する例を示す。
図２（Ａ）は、アスペクト比が１６：９の画像を、シネスコのスクリーンＳＣに投写した投射画像の例を示す。
【００３５】
図２（Ａ）に示すように、画像データＤ１のアスペクト比がスクリーンＳＣのアスペクト比に合致しない場合、投射画像Ｖ１は、スクリーンＳＣに収まるサイズで投写される。この場合、アスペクト比の違いから、投射画像Ｖ１の側方には余白Ｖ２が生じる。図２（Ａ）の状態は、フォーカスレンズ２４はスクリーンＳＣ上でフォーカスが合うように調整され、ズームレンズ２５は、投射画像Ｖ１がスクリーンＳＣからはみ出さないように調整される。投射画像Ｖ１の投写サイズは、投射画像Ｖ１の縦方向（上下方向）のサイズがスクリーンＳＣの縦方向のサイズに一致するサイズが上限である。
【００３６】
ところで、画像データＤ１のアスペクト比が、スクリーンＳＣと同じシネスコサイズである場合に、レンズ調整部３０の投写レンズの位置を図２（Ａ）と同じ位置にすると、投射画像Ｖ１は、図２（Ｂ）に示す状態となる。図２（Ｂ）では、アスペクト比が１６：９の画像Ｖ１の中央にアスペクト比２．４：１の画像Ｖ４があり、上下の余白Ｖ３は黒色で表現されている。投射画像Ｖ４と余白領域Ｖ３とを合わせると、図２（Ａ）に示した投射画像Ｖ１、すなわち１６：９の画像データＤ１が入力された場合と等しい。
つまり、図２（Ｂ）の状態は、シネスコサイズの画像データＤ１が１６：９のアスペクト比の画像データＤ１と同じデータとして投写された状態である。
【００３７】
ここで、投写光学系２３のレンズ位置を変更し、投写映像の位置と大きさを調整すると、投射画像Ｖ１は、図２（Ｃ）に示す状態となる。図２（Ｃ）の例では、上下の余白領域Ｖ３をスクリーンＳＣの外部に追い出すとともに、左右余白Ｖ２の部分に映像を投写することになり、スクリーンサイズいっぱいに映像Ｖ４を投写することができる。
【００３８】
このため、プロジェクター１では、画像データＤ１の内容に対応して投写光学系２３のレンズの位置を調整することが好ましい。さらに、投写レンズ位置を登録して容易に呼び出せることが好ましい。
【００３９】
図２（Ｂ）の画像に対して、入力画像Ｖ４を上下方向に引き伸ばし（図２（Ｄ））、アナモフィックレンズ２６の位置を光軸上にすることによって投写映像を左右に引き伸ばし、投写画像Ｖ４をスクリーンＳＣの全面に投写することもできる（図２（Ｅ））。図２（Ｄ）の状態では、ズームレンズ２５の位置は、図２（Ａ）と同じで、図２（Ｃ）に比べてズーム倍率が小さくなる位置にある。
【００４０】
このように、プロジェクター１では、画像データＤ１のアスペクト比に対応して、画像処理部１６における画像処理、特にアスペクト比調整部１６ｄの処理を調整し、かつ、投写光学系２３の投写レンズの位置を調整することが好ましい。
【００４１】
このため、プロジェクター１では、記憶部１１に、レンズ位置に関する設定を記憶できる。
図３は、レンズ位置と画像調整に関する設定値テーブル１１ａの構成例を示す図である。この図３に示すように、記憶部１１は、レンズ位置に関する設定を、例えばテーブル形式で記憶する。
【００４２】
設定値テーブル１１ａは、複数のレンズ位置の情報を含む。図中では、レンズ位置を１、２、…の番号で示すが、実際には、フォーカスレンズ２４、ズームレンズ２５及びアナモフィックレンズ２６のそれぞれの位置を示すデータが含まれる。
また、設定値テーブル１１ａは、レンズ位置に対応付けて、画像に関する設定の情報を含む。具体的には、色むら補正部１６ａが実行する色むら補正に関するデータ、アライメント調整部１６ｂが行うアライメント調整の処理に関するデータを含む。また、画質調整部１６ｃが実行する調整処理に関するデータ、及び、アスペクト比調整部１６ｄが実行するアスペクト比変換処理に関するデータを含む。これらの画像設定に関するデータは画像処理部１６の各部の処理を定めるパラメーター等であり、設定値テーブル１１ａに含まれるデータに基づき画像処理部１６の処理が一意に決定される。
【００４３】
従って、設定値テーブル１１ａに含まれるレンズ位置のいずれか一つを選択すると、このレンズ位置に対応して、画像設定に関するデータを一組、特定できる。
上述のように、投写光学系２３のフォーカスレンズ２４やズームレンズ２５の位置により、スクリーンＳＣに投写される投射画像においては色むらや色ずれの発生状態が異なる。また、アスペクト比調整部１６ｄのアスペクト比変換処理は、アナモフィックレンズ２６の位置、換言すれば使用状態に対応して行うと、投写画像の歪みを生じない。
このように、プロジェクター１では、投写光学系２３における投写レンズの位置を定めるデータと、画像処理部１６が行う処理を定めるデータとを対応付けて記憶部１１に記憶することで、投写レンズに対応する処理を画像処理部１６で行うことができる。
【００４４】
なお、プロジェクター１が、画像データに対してメニュー画像等のＯＳＤ画像を重畳するＯＳＤ処理を実行する場合には、設定値テーブル１１ａに、ＯＳＤ処理の内容を定めるデータを含めてもよい。具体的には、ＯＳＤ画像を重畳する処理の順序、ＯＳＤ画像の種類、ＯＳＤ画像に対する画像処理の要否などである。処理の順序とは、ＯＳＤ画像を重畳する処理を、画像処理部１６でアスペクト比調整部１６ｄがアスペクト比を変換する処理の前に行うか、画像処理部１６で処理されフレームメモリー１７に書き込まれた画像にＯＳＤ画像を重畳するかを指す。ＯＳＤ画像の種類とは、プロジェクター１が画像データＤ１のアスペクト比に対応して複数種類のＯＳＤ画像のデータを有する場合に、使用するＯＳＤ画像を指定するデータである。また、ＯＳＤ画像に対する画像処理の要否とは、ＯＳＤ画像に対し色むら補正部１６ａ、アライメント調整部１６ｂ、及び画質調整部１６ｃによる処理を行うか否かを指す。
さらに、プロジェクター１が、画像データＤ１に対する他の種類の画像処理を行う場合に、当該画像処理に関するデータを設定値テーブル１１ａに含めてもよい。また、設定値テーブル１１ａには、光源部２１の光源の輝度に関するデータや、光変調装置２２の画像形成部の制御に関するデータを含んでもよい。具体的には、光源駆動部１８が光源部２１の発光を制御するためのパラメーターや、光変調装置２２の画像形成部を駆動するフレームレート、画像形成部に描画するタイミングの制御に関するパラメーター等である。
【００４５】
図４〜図６は、プロジェクター１の動作を示すフローチャートである。
図４は、プロジェクター１においてレンズ位置に関する設定を行う動作を示す。
ユーザーがリモコン５０または操作パネル５５を操作して設定開始を指示する入力を行い、この入力を入力部１２が検出すると、制御部１０は、設定を開始する（ステップＳ１１）。制御部１０は、入力部１２の操作に基づき、レンズシフト制御部３４、フォーカス制御部３５、及びズーム制御部３６を制御して、投写光学系２３の投写レンズのレンズ位置を調整する（ステップＳ１２）。ステップＳ１２では、リモコン５０または操作パネル５５の操作により、フォーカスレンズ２４、ズームレンズ２５及びアナモフィックレンズ２６の各レンズの位置を指定するデータが直接入力されてもよい。また、ステップＳ１２で、リモコン５０または操作パネル５５が備える入力キー５１、５６の操作に応じて、投写レンズの位置を調整してもよい。
【００４６】
次いで、制御部１０は、画像に関する設定を行うか否かを判定する（ステップＳ１３）。ステップＳ１３では、例えば、制御部１０が、画像に関する設定の要否を入力するように促すメッセージを投写光学系２３により投写させ、このメッセージに応じてユーザーが行う入力を検出して、判定を行う。画像に関する設定を行わない場合（ステップＳ１３；Ｎｏ）、制御部１０は本処理を終了する。図４の動作の終了後は投写レンズの位置が調整されているので、画像の投写を行うことができる。また、画像の投写中に、投写を一時停止して図４の動作を開始した場合、図４の動作を終了した後は画像の投写に復帰する。
【００４７】
画像に関する設定を行う場合（ステップＳ１３；Ｙｅｓ）、制御部１０は、画像設定用の画面を投写光学系２３により投写（表示）させる（ステップＳ１４）。例えば、制御部１０は、記憶部１１に記憶されている画面のデータを読み出して、画像処理部１６に出力し、この画面を表示する画像信号を光変調装置駆動部１９に出力させる。
【００４８】
制御部１０は、画像設定用の画面に基づいてユーザーが行う操作を受け付ける。まず、制御部１０は、設定する項目を選択する入力を受け付ける（ステップＳ１５）。次に、制御部１０は、選択された項目に対する設定内容の入力を受け付ける（ステップＳ１６）。ステップＳ１５〜Ｓ１６の入力は、ステップＳ１２と同様に、データが直接入力されてもよいし、キー操作に応じて設定を所定量ずつ変更することで、入力が行われてもよい。また、ステップＳ１５では、プロジェクター１で設定可能な画像設定の項目のうち、一部の項目のみ設定するように、選択が行える。具体的には、例えば、アナモフィックレンズ２６の位置を設定する場合に、このアナモフィックレンズ２６の位置に対応付けて、アスペクト比調整部１６ｄの動作についてのみ設定を行うことができる。また、例えば、図３の設定値テーブル１１ａにおいて、レンズ位置３に対応付ける色むら補正に関する設定値Ｐ３１、画質調整に関する設定値Ｐ３３が設定され、アライメント調整に関する設定値Ｐ３２、アスペクト比に関する設定値Ｐ３４は設定しないようにすることができる。
【００４９】
その後、制御部１０は、ステップＳ１６で入力された内容を、記憶部１１の設定値テーブル１１ａに書き込んで記憶させる（ステップＳ１７）。ステップＳ１７では、ステップＳ１２で調整されたレンズ位置と、ステップＳ１６で入力された画像設定の内容とが、対応付けて設定値テーブル１１ａに書き込まれる。
【００５０】
その後、制御部１０は、設定が完了したか否かを判定する（ステップＳ１８）。リモコン５０または操作パネル５５の操作により設定完了の指示が入力された場合（ステップＳ１８；Ｙｅｓ）、制御部１０は本処理を終了する。また、設定が完了していない場合、すなわち、リモコン５０または操作パネル５５の操作により設定のやり直しの指示が入力された場合（ステップＳ１８；Ｎｏ）、制御部１０はステップＳ１２に戻る。
【００５１】
図５は、設定値テーブル１１ａに従って投写レンズの位置の設定を行う動作を示す。
ユーザーがリモコン５０または操作パネル５５を操作して投写レンズの位置設定の開始を指示する入力を行い、この入力を入力部１２が検出すると、制御部１０は、設定を開始する（ステップＳ２１）。
【００５２】
制御部１０は、設定値テーブル１１ａのデータを選択することで投写レンズの位置を調整するか否かを判定する（ステップＳ２２）。ユーザーの入力により、設定値テーブル１１ａのデータの選択が指示されると（ステップＳ２２；Ｙｅｓ）、制御部１０は、レンズ位置選択用の画面を表示させる（ステップＳ２３）。ここで表示されるレンズ位置選択用の画面には、例えば、設定値テーブル１１ａに含まれるレンズ位置の一覧が、選択操作が可能な態様で表示される。
【００５３】
制御部１０は、投写レンズの位置を選択する入力を入力部１２により受け付けて（ステップＳ２４）、受け付けた入力に基づき、選択されたレンズ位置のデータを設定値テーブル１１ａから取得する（ステップＳ２５）。
続いて、制御部１０は、ステップＳ２４で選択されたレンズ位置に対応付けて設定値テーブル１１ａに含まれる画像に関する設定のデータを取得する（ステップＳ２６）。
【００５４】
制御部１０は、ステップＳ２５で取得したデータに基づき、レンズシフト制御部３４、フォーカス制御部３５及びズーム制御部３６を制御して、投写光学系２３の投写レンズの位置を調整する（ステップＳ２７）。また、制御部１０は、ステップＳ２６で取得したデータに基づき画像処理部１６を制御し、画像処理部１６が実行する画像処理に関する設定を行い（ステップＳ２８）、本処理を終了する。
【００５５】
一方、レンズ位置を設定値テーブル１１ａから選択しないことを指示する入力を受け付けた場合（ステップＳ２２；Ｎｏ）、制御部１０は、リモコン５０または操作パネル５５の操作に従って投写光学系２３のレンズ位置を調整する（ステップＳ３１）。ステップＳ３１の動作は、例えば、ステップＳ１２（図４）と同様である。その後、制御部１０は、リモコン５０または操作パネル５５の操作により画質調整に関する入力がされた場合、この入力に基づき画像処理に関する設定を行い（ステップＳ３２）、本処理を終了する。
【００５６】
図５の動作の終了後は投写レンズの位置が調整されているので、画像の投写を行うことができる。また、画像の投写中に、投写を一時停止して図５の動作を開始した場合、図５の動作を終了した後は画像の投写に復帰する。
【００５７】
このように、プロジェクター１では、投写光学系２３の投写レンズの位置に対応付けて画像処理部１６等が行う画像に関する処理を設定し、この設定を記憶部１１に記憶できる。そして、記憶した設定を選択することにより、レンズ位置を調整し、かつ、レンズ位置に対応して、画像処理部１６による処理の設定を自動的に行うことができる。このため、レンズ位置を容易に選択して調整でき、調整されたレンズ位置に適合する画像の処理の設定を合わせて行うことができる。
【００５８】
また、プロジェクター１は、画像を投写する間にアスペクト比が変化した場合に、アスペクト比の変化に対応して、設定値テーブル１１ａを用いてレンズ位置及び画像に関する設定を行うことが可能である。この動作を図６に示す。
【００５９】
図６の動作は、画像の投写を開始してから（ステップＳ４１）、バックグラウンドで実行される。制御部１０は、画像データＤ１のアスペクト比を、画像入力部１５または画像処理部１６により検出させ（ステップＳ４２）、アスペクト比の変更があったか否かを判定する（ステップＳ４３）。アスペクト比が変更されたと判定した場合（ステップＳ４３；Ｙｅｓ）、制御部１０は、変更後のアスペクト比、すなわちステップＳ４２で検出されたアスペクト比に対応するレンズ位置を、設定値テーブル１１ａから選択する（ステップＳ４４）。
【００６０】
制御部１０は、ステップＳ４４で選択したレンズ位置のデータを設定値テーブル１１ａから取得する（ステップＳ４５）。また、制御部１０は、ステップＳ４４で選択されたレンズ位置に対応付けて設定値テーブル１１ａに含まれる画像に関する設定のデータを取得する（ステップＳ４６）。
【００６１】
制御部１０は、ステップＳ４５で取得したデータに基づき、レンズシフト制御部３４、フォーカス制御部３５及びズーム制御部３６を制御して、投写光学系２３の投写レンズの位置を調整する（ステップＳ４７）。また、制御部１０は、ステップＳ４６で取得したデータに基づき画像処理部１６を制御し、画像処理部１６が実行する画像処理に関する設定を行う（ステップＳ４８）。
【００６２】
制御部１０は、投写を終了するか否かを判定する（ステップＳ４９）。ユーザーの入力により投写終了が指示された場合等、投写を終了すると判定した場合（ステップＳ４９；Ｙｅｓ）、制御部１０は本処理を終了する。また、投写を終了しない場合は（ステップＳ４９；Ｎｏ）、ステップＳ４２に戻る。
一方、ステップＳ４２で検出したアスペクト比に基づき、投写中の画像または映像のアスペクト比が変更されていないと判定した場合（ステップＳ４３；Ｎｏ）、制御部１０はステップＳ４９に移行する。
【００６３】
例えば、アスペクト比の異なる複数のフレームを含む映像、またはアスペクト比の異なる複数の静止画像を切り替えて順次表示するような、映像コンテンツ（いわゆるシナリオファイル）を表示する場合がある。このような場合、図６の動作により、プロジェクター１は、アスペクト比の変化に対応して、常に適切な状態で画像をスクリーンＳＣに投写できる。
【００６４】
以上説明したように、本発明を適用した実施形態に係るプロジェクター１によれば、光源部２１と、光源部２１から射出した光を画像信号に基づき画像光に変調する光変調装置２２とを備える。また、プロジェクター１は、画像光を投写する投写レンズを備えた投写光学系２３と、投写レンズの位置を調整するレンズ調整部３０とを備える。プロジェクター１は、投写レンズの位置、及び、光変調装置２２による画像光の形成に係る設定の入力を受け付ける入力部１２と、入力部１２により入力された投写レンズの位置と画像光の形成に係る設定とを記憶する記憶部１１とを有する。制御部１０は、記憶部１１に記憶された投写レンズの位置を選択する入力を受け付け、受け付けた入力に従って選択される投写レンズの位置に応じて、レンズ調整部３０に投写レンズの位置の調整を行わせる。制御部１０は、選択される投写レンズの位置に対応する画像光の形成に係る設定に従って光変調装置２２を制御する。このため、投写レンズの位置を調整する際に、投写レンズの位置に対応して画像光を調整できる。このため、例えば画質やアスペクト比等を投写レンズの位置に適合させることができるので、投写レンズの位置に対応した画質に関する調整を、容易に行うことができる。
【００６５】
また、記憶部１１は、投写レンズの位置と、投写レンズの位置に対応づけて入力部１２により入力される画像光の形成に係る設定とを記憶する。このため、画像光の形成に係る設定について、投写レンズの位置に対応する設定内容を容易に入力して設定できる。
また、記憶部１１は、例えば設定値テーブル１１ａにより、投写レンズの位置と、画像光の形成に係る設定とを対応付けて記憶する。このため、画像光の形成に係る設定について、投写レンズの位置に合わせた設定を容易に実現できる。これにより、投写レンズの位置に対応した画質に関する調整を、容易に行うことができる。
【００６６】
また、入力部１２は、光変調装置２２による画像光の形成に係る複数の設定項目について、入力可能に構成され、入力部１２により入力する設定項目を選択可能である。このため、画像光の形成に関して任意の項目を設定できる。
【００６７】
また、光変調装置２２は画像信号に基づき画像形成部に画像を形成し、形成した画像により光源部２１から射出した光を変調する構成を有する。光変調装置２２による画像光の形成に係る設定は、光変調装置２２が形成する画像のアスペクト比、画像の形成位置を調整するアライメント調整値、光変調装置２２が形成する画像の色むら調整値、光変調装置２２が形成する画像の画質設定値のいずれかを含む。このため、投写レンズの位置に対応して、画像のアスペクト比、アライメント調整値、色むら調整値、画質設定値等を、適切に調整できる。
【００６８】
なお、上述した実施形態は本発明を適用した具体的態様の例に過ぎず、本発明を限定するものではなく、上記実施形態とは異なる態様として本発明を適用することも可能である。例えば、上記実施形態では、投写光学系２３が、フォーカスレンズ２４、ズームレンズ２５、及びアナモフィックレンズ２６を備える構成について説明したが、本発明はこれに限定されない。投写光学系２３が備える１または複数のレンズがフォーカスレンズ２４とズームレンズ２５とを兼ねていてもよいし、投写光学系２３がズームレンズ２５を持たない構成としてもよい。従って投写光学系２３は移動可能な少なくとも１つのレンズを備えた構成であればよい。
【００６９】
また、本実施形態において、アナモフィックレンズ２６の位置を入力可能としたが、本発明はこれに限定されない。例えば、プロジェクター１が画像（映像）を表示する投写モードが複数あり、いずれかの投写モードにアナモフィックレンズ２６の使用が対応付けて設定されている場合、投写モードの指定を、アナモフィックレンズ２６の位置の指定として受け付けてもよい。例えば、プロジェクター１が、アナモフィックレンズ２６でアスペクト比を変換するシアターモードや、アナモフィックレンズ２６を使用しないで投写するノーマルモードなどの投写モードを有し、各投写モードとアスペクト比とが関連付けられる例がある。この場合、投写モードを設定メニュー画面から選択することによって、投写モードの切り換え（設定）が行われるとともに、自動的にアナモフィックレンズ２６の使用／不使用を切り替えることが可能な構成としてもよい。また、図６のステップＳ４３で、投写モードの切替を、アスペクト比の変更と見なして動作してもよい。
【００７０】
また、本実施形態において、プロジェクター１が、アスペクト比の設定を行う設定メニュー画面等、図４〜図５で表示される画面を、ＯＳＤ画像を重畳して表示する場合を例に挙げて説明した。本発明はこれに限らず、例えば、光変調装置２２が備える液晶パネル（図示略）において入力画像が形成されていない部分に相当する画像の領域（例えば、図２（Ｄ）、（Ｅ）の非表示領域Ｖ３）に、設定用の画面を表示してもよい。或いは、上記液晶パネル（図示略）に形成される入力画像を縮小させて、非表示領域Ｖ３に相当する部分を作り出し、この部分に設定用の画面等を表示してもよい。
【００７１】
また、上記実施形態では、プロジェクター１が、外部の装置から供給される画像データＤ１に基づく画像を投写する構成を例に挙げて説明したが、本発明はこれに限定されない。プロジェクター１が記憶部１１や他の記憶装置、または可搬型の記憶媒体に記憶された画像データに基づいて、映像や画像を投写する構成とすることも勿論可能である。
【００７２】
また、図１に示した各機能部は、プロジェクター１の機能的構成を示すものであって、具体的な実装形態は特に制限されない。つまり、必ずしも各機能部に個別に対応するハードウェアが実装される必要はなく、プロセッサーがプログラムを実行することで一部の機能部の機能をソフトウェア的に実現する構成とすることも勿論可能であり、その他の細部構成も任意に変更可能である。
【符号の説明】
【００７３】
１…プロジェクター、１０…制御部（選択受付部、調整制御部）、１０ａ…投写制御部、１０ｂ…調整制御部、１０ｃ…設定制御部、１１…記憶部、１１ａ…設定値テーブル、１２…入力部、１６…画像処理部、１６ａ…色むら補正部、１６ｂ…アライメント調整部、１６ｃ…画質調整部、１６ｄ…アスペクト比調整部、２０…投写部、２１…光源部、２２…光変調装置（変調部）、２３…投写光学系、２４…フォーカスレンズ（投写レンズ）、２５…ズームレンズ（投写レンズ）、２６…アナモフィックレンズ（投写レンズ）、３０…レンズ調整部（調整部）、３１…レンズシフト調整機構、３２…フォーカス調整機構、３３…ズーム調整機構、３４…レンズシフト制御部、３５…フォーカス制御部、３６…ズーム制御部、５０…リモコン、５５…操作パネル、ＳＣ…スクリーン。
【図１】
2016143015.tif 000003
【図２】
2016143015.tif 000004
【図３】
2016143015.tif 000005
【図４】
2016143015.tif 000006
【図５】
2016143015.tif 000007
【図６】
2016143015.tif 000008